(57)【特許請求の範囲】
【請求項１】
天井（５０）の下面側に配置される室内パネル（２）に設けられた吸込口（３）と該吸込口（３）の外側を矩形状に囲繞する複数の吹出口（４），（４），・・との間の通風路（１７）中にファン（６）を配置するとともに、室内の熱負荷分布を検知する検知手段（５１）と、上記各吹出口（４），（４），・・からの吹出気流の特性を変更する気流変更手段（５２）と、上記検知手段（５１）により検知される検知情報と空気調和機の運転に関する運転情報とに基づいて上記気流変更手段（５２）の作動を制御する制御手段（５２）を備えてなる空気調和機において、
上記検知手段（５１）を温度センサ又は温湿度センサ（１６）で構成し、該温度センサ又は温湿度センサ（１６）を上記各吹出口（４），（４），・・のそれぞれに対応するようにして上記吸込口（３）側に配置
する一方、
上記ファン（６）の停止時における上記各温度センサ又は温湿度センサ（１６），（１６），・・の検出値に基づいて上記吸込口（３）部分における平均空気温度を算出するとともに、該平均空気温度と上記各検出値との偏差に基づいて上記各温度センサ又は温湿度センサ（１６），（１６），・・個々の検出誤差を補正することを特徴とする空気調和機。
【請求項２】
天井（５０）の下面側に配置される室内パネル（２）に設けられた吸込口（３）と該吸込口（３）の外側を矩形状に囲繞する複数の吹出口（４），（４），・・との間の通風路（１７）中にファン（６）を配置するとともに、室内の熱負荷分布を検知する検知手段（５１）と、上記各吹出口（４），（４），・・からの吹出気流の特性を変更する気流変更手段（５２）と、上記検知手段（５１）により検知される検知情報と空気調和機の運転に関する運転情報とに基づいて上記気流変更手段（５２）の作動を制御する制御手段（５２）を備えてなる空気調和機において、
上記ファン（６）が遠心ファンであって、該ファン（６）の回転速度に基づいて上記各温度センサ又は温湿度センサ（１６），（１６），・・それぞれの検出値を補正することを特徴とする空気調和機。
【請求項３】
請求項１又は２において、
上記気流変更手段（５２）が、上記各吹出口（４），（４），・・相互間における吹出風量の分配比率を変更する風量分配機構（１０）と、上記吹出口（４）からの吹出気流の横方向における吹出方向を変更する第１フラップ（１２）と縦方向における吹出方向を変更する第２フラップ（１３）とを備えるとともに、上記風量分配機構（１０）と第１フラップ（１２）と第２フラップ（１３）とを上記各吹出口（４），（４），・・相互間においてそれぞれ独立して個別に作動可能に構成したことを特徴とする空気調和機。
【請求項４】
請求項１又は２において、
上記気流変更手段（５２）が、上記各吹出口（４），（４），・・相互間における吹出風量の分配比率を変更する風量分配機構（１０）と、上記吹出口（４）からの吹出気流の横方向における吹出方向を変更する第１フラップ（１２）と縦方向における吹出方向を変更する第２フラップ（１３）とを備えるとともに、上記風量分配機構（１０）と第１フラップ（１２）とを上記各吹出口（４），（４），・・相互間においてそれぞれ独立して個別に作動可能に構成する一方、上記第２フラップ（１３）を上記各吹出口（４），（４），・・相互間において連動して作動するように構成したことを特徴とする空気調和機。
【請求項５】
請求項１，２，３又は４において、
上記吹出口（４）に連続する吹出流路（１４）の上流部位に上記風量分配機構（１０）と上記第１フラップ（１２）とをそれぞれ配置するとともに、上記吹出流路（１４）の長辺方向の両端部に上記風量分配機構（１０）の駆動機構（２９）と上記第１フラップ（１２）の駆動機構（３０）とをそれぞれ配置したことを特徴とする空気調和機。
【請求項６】
請求項５において、
上記風量分配機構（１０）が、上記吹出流路（１４）の長辺側に位置し且つ該吹出流路（１４）の内部側へ向けて傾倒可能に取り付けられた分配シャッター（１１）を備えるとともに、該分配シャッター（１１）は上記吹出流路（１４）の開口面積の拡大動作時には該吹出流路（１４）の長辺側に位置し、該開口面積の縮小動作時には上記吹出流路（１４）の上流側に位置するように構成されていることを特徴とする空気調和機。
【発明の詳細な説明】
【０００１】
【発明の属する技術分野】
【０００２】
本願発明は、下面中央部に吸込口を、該吸込口の周囲にこれを囲繞するようにして長矩形形態をもつ複数の吹出口を、それぞれ設け、天井側に埋込状態あるいは吊下げ状態で設置される空気調和機に関するものである。
【従来の技術】
【０００３】
従来より、例えば店舗とか飲食店とか事務所等の比較的広い空調空間をもつ建屋において該空調空間の空調を行う場合、該空調空間の天井側に天井埋込型あるいは天井吊下型の室内機を配置するのが一般的である。
【０００４】
ところで、このような広い空調空間を天井埋込型あるいは天井吊下型の室内機によって空調を行う場合、従来は空調空間内の熱負荷分布とか人分布等の空調要求度を考慮することなく、室内機の各吹出口からそれぞれ均等に気流を吹き出すようにしていたことから、例えば空調空間内の温度ムラが生じ、ドラフト感を伴う快適性に劣る領域が存在するとか、人の居ない領域を人の居る領域と同じように空調するとか、空調空間の熱負荷分布は例えば季節、時間帯、在室人数等の条件によって経時的に変化するにも拘わらず常時所定条件の下で運転が行われる場合等の不必要且つ無駄な空調の実行によって省エネ性が損なわれる、等の問題があった。
【０００５】
このような従来の問題点を改善するものとして、例えば空調空間の熱負荷分布とか人分布等を検出し、この検出情報に基づいて室内機の吹出口からの吹出気流の特性、例えば吹出風量、吹出温度、吹出速度あるいは吹出方向等を適宜制御し、常時快適で且つ省エネ性に優れた空調を行う技術（例えば、特開平５−２０３２４４号公報、特開平５−３０６８２９号公報参照）とか、熱負荷分布等の検知手段として赤外線センサを用いる技術（例えば、特公平５−２０６５９号公報参照）等が提案されている。
【発明が解決しようとする課題】
【０００６】
ところが、上掲公知例の如き従来の提案技術は、机上では所要の機能を成し当初予定の作用効果を奏し得るものと考えられるものの、その技術内容が具体的あるいは現実的ではなく、従って未だ実用するに至っていないというのが実情であり、かかる技術の早期の確立とその具体化が強く要請されているところである。
【０００７】
そこで本願発明は、快適性と省エネ性の両立を図るべく熱負荷等の検知手段と吹出気流の特性を変更する気流変更手段とその制御手段とを備えた空気調和機において、これら各手段をより具体的且つ現実的な形で提案してその実用化の促進を図ることを目的としてなされたものである。
【課題を解決するための手段】
【０００８】
本願発明ではかかる課題を解決するための具体的手段として次のような構成を採用している。
【０００９】
本願の第１の発明では、天井５０の下面側に配置される室内パネル２に設けられた吸込口３と該吸込口３の外側を矩形状に囲繞する複数の吹出口４，４，・・との間の通風路１７中にファン６を配置するとともに、室内の熱負荷分布を検知する検知手段５１と、上記各吹出口４，４，・・からの吹出気流の特性を変更する気流変更手段５２と、上記検知手段５１により検知される検知情報と空気調和機の運転に関する運転情報とに基づいて上記気流変更手段５２の作動を制御する制御手段５２とを備えてなる空気調和機において、上記検知手段５１を温度センサ又は温湿度センサ１６で構成し、該温度センサ又は温湿度センサ１６を上記各吹出口４，４，・・のそれぞれに対応するようにして上記吸込口３側に配置する一方、上記ファン６の停止時における上記各温度センサ又は温湿度センサ１６，１６，・・の検出値に基づいて上記吸込口３部分における平均空気温度を算出するとともに、該平均空気温度と上記各検出値との偏差に基づいて上記各温度センサ又は温湿度センサ１６，１６，・・個々の検出誤差を補正することを特徴としている。
【００１０】
本願の第２の発明では、天井５０の下面側に配置される室内パネル２に設けられた吸込口３と該吸込口３の外側を矩形状に囲繞する複数の吹出口４，４，・・との間の通風路１７中にファン６を配置するとともに、室内の熱負荷分布を検知する検知手段５１と、上記各吹出口４，４，・・からの吹出気流の特性を変更する気流変更手段５２と、上記検知手段５１により検知される検知情報と空気調和機の運転に関する運転情報とに基づいて上記気流変更手段５２の作動を制御する制御手段５２とを備えてなる空気調和機において、上記検知手段５１を温度センサ又は温湿度センサ１６で構成し、該温度センサ又は温湿度センサ１６を上記各吹出口４，４，・・のそれぞれに対応するようにして上記吸込口３側に配置する一方、上記ファン６を遠心ファンで構成し、該ファン６の回転速度に基づいて上記各温度センサ又は温湿度センサ１６，１６，・・それぞれの検出値を補正することを特徴としている。
【００１１】
本願の第３の発明では、上記第１又は第２の発明にかかる空気調和機において、上記気流変更手段５２を、上記各吹出口４，４，・・相互間における吹出風量の分配比率を変更する風量分配機構１０と、上記吹出口４からの吹出気流の横方向における吹出方向を変更する第１フラップ１２と縦方向における吹出方向を変更する第２フラップ１３とを備えて構成するとともに、上記風量分配機構１０と第１フラップ１２と第２フラップ１３とを上記各吹出口４，４，・・相互間においてそれぞれ独立して個別に作動可能としたことを特徴としている。
【００１２】
本願の第４の発明では、上記第１又は第２の発明にかかる空気調和機において、上記気流変更手段５２を、上記各吹出口４，４，・・相互間における吹出風量の分配比率を変更する風量分配機構１０と、上記吹出口４からの吹出気流の横方向における吹出方向を変更する第１フラップ１２と縦方向における吹出方向を変更する第２フラップ１３とを備えるとともに、上記風量分配機構１０と第１フラップ１２とを上記各吹出口４，４，・・相互間においてそれぞれ独立して個別に作動可能に構成する一方、上記第２フラップ１３を上記各吹出口４，４，・・相互間において連動して作動させることを特徴としている。
【００１３】
本願の第５の発明では、上記第１、第２、第３又は第４の発明にかかる空気調和機において、上記吹出口４に連続する吹出流路１４の上流部位に上記風量分配機構１０と上記第１フラップ１２とをそれぞれ配置するとともに、上記吹出流路１４の長辺方向の両端部に上記風量分配機構１０の駆動機構２９と上記第１フラップ１２の駆動機構３０とをそれぞれ配置したことを特徴としている。
【００１４】
本願の第６の発明では、上記第５の発明にかかる空気調和機において、上記風量分配機構１０を、上記吹出流路１４の長辺側に位置し且つ該吹出流路１４の内部側へ向けて傾倒可能に取り付けられた分配シャッター１１を備えて構成し、該分配シャッター１１を上記吹出流路１４の開口面積の拡大動作時には該吹出流路１４の長辺側に位置させ、該開口面積の縮小動作時には上記吹出流路１４の上流側に位置させることを特徴としている。
【発明の効果】
【００１５】
本願発明ではかかる構成とすることにより次のような効果が得られる。
【００１６】
（ア）  本願の第１の発明にかかる空気調和機では、上記検知手段５１を温度センサ又は温湿度センサ１６で構成し、該温度センサ又は温湿度センサ１６を上記各吹出口４，４，・・のそれぞれに対応するようにして上記吸込口３側に配置しているので、上記各吹出口４，４，・・のそれぞれに対応するようにして上記吸込口３側に配置した上記各温度センサ又は温湿度センサ１６，１６，・・によって、該各吹出口４，４，・・の吹出方向に対応する部位からの吸込空気の温度をそれぞれ検出することで、室内の全域における熱負荷分布を検知することができる。従って、この検知情報に基づいて上記制御手段５３により上記気流変更手段５２の作動を制御することで、室内の熱負荷分布に対応した空調を行うことができ、その結果、空調の快適性の確保、及び無駄な空調の排除による省エネ性の向上が図れるものである。
【００１７】
また、上記検知手段５１を温度センサ又は温湿度センサ１６で構成しているので、例えばこの検知手段５１を赤外線センサによって構成するような場合に比して、該検知手段５１の構造の簡略化あるいは制御の容易化が図れ、延いては空気調和機の低コスト化に寄与し得るものである。
【００１８】
さらに、上記ファン６の停止時、即ち、上記吸込口３部分に空気の流れがなくその近傍の空気温度が均一となっている状態において、上記各温度センサ又は温湿度センサ１６，１６，・・の検出値に基づいて上記吸込口３部分における平均空気温度を算出し、該平均空気温度と上記各検出値との偏差に基づいて上記各温度センサ又は温湿度センサ１６，１６，・・個々の検出誤差を補正するようにしているので、上記ファン６の起動後、即ち、空気調和機の運転開始後において上記各温度センサ又は温湿度センサ１６，１６，・・のそれぞれの検知情報に基づいて上記気流変更手段５２の作動を制御する場合における高い制御精度が確保され、その結果、上記気流変更手段５２の適正な作動が実現され、空調の快適性及び無駄な空調の排除による省エネ性の更なる向上が図れるものである。
【００１９】
（イ）本願の第２の発明にかかる空気調和機によれば、上記検知手段５１を温度センサ又は温湿度センサ１６で構成し、該温度センサ又は温湿度センサ１６を上記各吹出口４，４，・・のそれぞれに対応するようにして上記吸込口３側に配置しているので、上記各吹出口４，４，・・のそれぞれに対応するようにして上記吸込口３側に配置した上記各温度センサ又は温湿度センサ１６，１６，・・によって、該各吹出口４，４，・・の吹出方向に対応する部位からの吸込空気の温度をそれぞれ検出することで、室内の全域における熱負荷分布を検知することができる。従って、この検知情報に基づいて上記制御手段５３により上記気流変更手段５２の作動を制御することで、室内の熱負荷分布に対応した空調を行うことができ、その結果、空調の快適性の確保、及び無駄な空調の排除による省エネ性の向上が図れるものである。
【００２０】
また、上記検知手段５１を温度センサ又は温湿度センサ１６で構成しているので、例えばこの検知手段５１を赤外線センサによって構成するような場合に比して、該検知手段５１の構造の簡略化あるいは制御の容易化が図れ、延いては空気調和機の低コスト化に寄与し得るものである。
【００２１】
さらに、上記ファン６を遠心ファンで構成し、該ファン６の回転速度に基づいて上記各温度センサ又は温湿度センサ１６，１６，・・それぞれの検出値を補正するようにしているので、該ファン６が遠心ファンであることに起因する上記各吹出口４，４，・・からの吹出気流の到達領域のファン回転方向における位相差に基づく上記各温度センサ又は温湿度センサ１６，１６，・・の検出誤差が解消され、上記各温度センサ又は温湿度センサ１６，１６，・・の検知情報に基づく上記気流変更手段５２の作動制御が適正化され、その結果、空調の快適性及び省エネ性が促進されるものである。
【００２２】
（ウ）  本願の第３の発明にかかる空気調和機によれば、上記（ア）又は（イ）に記載の効果に加えて次のような特有の効果が得られる。即ち、この発明では、上記第１又は第２の発明にかかる空気調和機において、上記気流変更手段５２を、上記各吹出口４，４，・・相互間における吹出風量の分配比率を変更する風量分配機構１０と、上記吹出口４からの吹出気流の横方向における吹出方向を変更する第１フラップ１２と縦方向における吹出方向を変更する第２フラップ１３とを備えて構成し、上記風量分配機構１０と第１フラップ１２と第２フラップ１３とを上記各吹出口４，４，・・相互間においてそれぞれ独立して個別に作動可能に構成しているので、上記各吹出口４，４，・・毎に吹出気流の特性を細かく制御することができ、それだけ空調の快適性及び省エネ性がさらに向上することになる。
【００２３】
（エ）  本願の第４の発明にかかる空気調和機によれば、上記（ア）又は（イ）に記載の効果に加えて次のような特有の効果が得られる。即ち、この発明では、上記第１又は第２の発明にかかる空気調和機において、上記気流変更手段５２を、上記各吹出口４，４，・・相互間における吹出風量の分配比率を変更する風量分配機構１０と、上記吹出口４からの吹出気流の横方向における吹出方向を変更する第１フラップ１２と縦方向における吹出方向を変更する第２フラップ１３とを備えて構成し、上記風量分配機構１０と第１フラップ１２とを上記各吹出口４，４，・・相互間においてそれぞれ独立して個別に作動可能に構成する一方、上記第２フラップ１３を上記各吹出口４，４，・・相互間において連動して作動するように構成している。
【００２４】
従って、この発明の空気調和機によれば、上記各吹出口４，４，・・毎に上記風量分配機構１０と第１フラップ１２とによって吹出気流の特性を細かく制御することができることから、例えば上記風量分配機構１０と第１フラップ１２とを上記各吹出口４，４，・・相互間において連動して作動させる構成の場合に比して、空調の快適性及び省エネ性の向上が図れるとともに、上記各吹出口４，４，・・のそれぞれに設けられた上記各第２フラップ１３，１３，・・を単一の駆動源によって駆動することができることから、例えば該各第２フラップ１３，１３，・・をそれぞれ個別の駆動源によって駆動する場合に比して、該駆動源の設置数が減少する分だけ低コスト化と構造の簡略化が図れるなど、空調の快適性及び省エネ性の向上と空気調和機の低コスト化の促進との両立が可能となるものである。
【００２５】
（オ）  本願の第５の発明にかかる空気調和機によれば、上記（ア），（イ），（ウ）又は（エ）に記載の効果に加えて次のような特有の効果が得られる。即ち、この発明では、上記第１，第２，第３又は第４の発明にかかる空気調和機において、上記吹出口４に連続する吹出流路１４の上流部位に上記風量分配機構１０と上記第１フラップ１２とをそれぞれ配置するとともに、上記吹出流路１４の長辺方向の両端部に上記風量分配機構１０の駆動機構２９と上記第１フラップ１２の駆動機構３０とをそれぞれ配置しているので、スペース的に制約される上記吹出流路１４部分に上記風量分配機構１０と第１フラップ１２、及びこれらの駆動機構２９，３０をコンパクトに配置することができ、その結果、上記室内パネル２の薄型・小型化を図ることができる。
【００２６】
（カ）  本願の第６の発明にかかる空気調和機によれば、上記（オ）に記載の効果に加えて次のような特有の効果が得られる。即ち、この発明では、上記第５の発明にかかる空気調和機において、上記風量分配機構１０が、上記吹出流路１４の長辺側に位置し且つ該吹出流路１４の内部側へ向けて傾倒可能に取り付けられた分配シャッター１１を備えるとともに、該分配シャッター１１は上記吹出流路１４の開口面積の拡大動作時には該吹出流路１４の長辺側にそれぞれ位置し、該開口面積の縮小動作時には上記吹出流路１４の上流側に位置するように構成しているので、上記吹出流路１４の開口面積の拡大動作時、即ち、吹出風量の増大時には上記分配シャッター１１が上記吹出流路１４の流速の遅い部位に位置することで該分配シャッター１１による通風抵抗が低減され、風量の確保が確実となるとともに送風音の低減が図られる一方、上記吹出流路１４の開口面積の縮小動作時、即ち、吹出風量の減少時には上記分配シャッター１１が上記吹出流路１４の上流側に位置することで該吹出流路１４の下流端に位置する上記吹出口４部分における気流の乱れが可及的に抑制され、それだけ該吹出口４近傍における結露が防止されるとともに乱れた吹出気流の衝突による天井面の汚れの発生が防止される。
【発明の実施の形態】
【００２７】
以下、本願発明を好適な実施形態に基づいて具体的に説明する。
【００２８】
図１及び図２には、本願発明の実施形態にかかるセパレート型空気調和機の室内機Ｚを示している。この室内機Ｚは、室内の天井５０に埋設配置される天井埋込型室内機であって、その基本構造は従来周知の構造とされる。即ち、上記室内機Ｚは、天井５０の上側に埋設配置される矩形箱状のケーング１と該ケーング１の下端開口側に室内側から装着される矩形平板状の室内パネル２とを備える。上記室内パネル２には、その中央部に位置するようにして矩形開口状の吸込口３が設けられるとともに、該吸込口３の外側には該吸込口３を矩形状に囲繞するようにして長矩形開口でなる四つの吹出口４，４，・・がそれぞれ室内パネル２の周縁に略平行に延出するようにして設けられている。
【００２９】
また、上記ケーング１内の上記吸込口３から上記各吹出口４，４，・・に至る通風路１７には、上記吸込口３と同軸上に位置するようにして遠心式のファン６が配置されるとともに、該ファン６の外周側にはこれを囲繞するようにして熱交換器５が配置されている。さらに、上記ファン６の吸込側にはベルマウス７が配置されるとともに、上記吸込口３にはフィルタ９と吸込グリル８とがそれぞれ装着されている。
【００３０】
一方、上記吹出口４の上流側には、該吹出口４に連続して上方へ延びて上記通風路１７の下流側部位を構成する長矩形断面をもつ吹出流路１４が設けられるとともに、該吹出流路１４内には次述の風量分配機構１０と第１フラップ１２及び第２フラップ１３が配置されている。尚、上記風量分配機構１０と第１フラップ１２と第２フラップ１３とによって特許請求の範囲中の「気流変更手段５２」が構成される。
【００３１】
さらに、上記吸込グリル８側には、特許請求の範囲中の「検知手段５１」に該当する温湿度センサ１６が配置されるとともに、上記吹出流路１４の近傍には上記温湿度センサ１６からの検知情報を受けて上記風量分配機構１０と第１フラップ１２及び第２フラップ１３等の作動制御を行う制御部１８（特許請求の範囲中の「制御手段５３」に該当する）が配置されている。
【００３２】
以下、これら各構成要素の構成等をそれぞれ具体的に説明する。
【００３３】
（Ｉ−ａ）  風量分配機構１０の構成
上記風量分配機構１０は、上記吹出口４から吹き出される風量を増減調整することで上記吹出口４，４，・・相互間における風量分配比率を調整するためのものであって、図２〜図４に示すように、上記吹出流路１４をその短辺方向に挟んでその長辺側の両側壁寄りにそれぞれ配置された左右一対の分配シャッター１１，１１を備えている。この一対の分配シャッター１１，１１の具体的構造は、図３に示す通りである。即ち、上記一対の分配シャッター１１，１１は、その一端を上記吹出流路１４の側壁に沿って上下方向に形成されたガイド溝２５に係入させることで該ガイド溝２５に沿って上下方向へ移動自在としている。一方、該一対の分配シャッター１１，１１の他端は、図３及び図４に示すように、モータ２９（特許請求の範囲中の「駆動機構２９」に該当する）により回転駆動されるギヤ２８に、その軸心を挟んでその径方向両側からそれぞれ噛合された一対のラック杆２７，２７の端部に連結されている。
【００３４】
従って、上記風量分配機構１０は、モータ２９によって上記ギヤ２８が正逆両方向に選択的に回転されると、これに噛合した上記一対のラック杆２７，２７が相互に逆方向へ移動し、この一対のラック杆２７，２７の相反方向への移動に伴って上記一対の分配シャッター１１，１１はそれぞれその傾動角度を変化させながら上下方向へ移動し、上記吹出流路１４の中央側への延出量が増減変化されることで該吹出流路１４の開口面積を増減させる如く作用する。
【００３５】
即ち、上記風量分配機構１０においては、上記吹出流路１４の開口面積を拡大させた状態（大風量設定時）では、上記一対の分配シャッター１１，１１が共に直立に近い姿勢で該吹出流路１４の側壁寄りに収納される状態となり、上記吹出流路１４の中央側への延出量が小さくなる一方、上記吹出流路１４の開口面積を縮小させた状態（小風量設定時）では、上記一対の分配シャッター１１，１１が共に水平に近い姿勢となり、該吹出流路１４の中央寄りへの延出量が大きくなるとともに、全体として上記吹出流路１４の上流寄りに位置されるものである。
【００３６】
尚、上記風量分配機構１０は、上記各吹出口４，４，・・のそれぞれに対応して設けられるものであって、これら各風量分配機構１０，１０，・・はそれぞれ独立して個別に作動制御される。また、この風量分配機構１０の作動制御は、図２に示すように、上記吹出流路１４の近傍に配置された制御部１８（特許請求の範囲中の「制御手段５３」に該当するものであって、その内容については後述する）によって、後述する温湿度センサ１６からの検知情報に基づいて行われる。
【００３７】
ところで、上記風量分配機構１０は、上述のように、上記吹出流路１４の流路方向へ移動しつつ該吹出流路１４の側壁寄りに位置する一端を支点として傾動する分配シャッター１１を備え、且つ上記開口面積の拡大時には該分配シャッター１１が上記吹出流路１４の側壁寄りに位置して流速の早い流路中央寄りを大きく開口させる（換言すれば、上記分配シャッター１１を吹出流路１４の側壁寄りへ退避させる）一方、上記開口面積の縮小時には上記分配シャッター１１が該吹出流路１４の上流側に位置されることに構成上及び機能上の特徴をもつものであって、これによって後述の如き特有の作用効果を奏するものである。即ち、上記風量分配機構１０は、上記の如き構成上及び機能上の特徴をもつものであれば、上記実施形態の如き構造のものに限定される必要はなく、従って上記実施形態の外に、例えば図５に示す構造、あるいは図６に示す構造等を適宜採用し得るものである。これを簡単に説明すると以下の通りである。
【００３８】
図５に示す風量分配機構１０は、上記一対の分配シャッター１１，１１を上記吹出流路１４の上流部位において、それぞれその短辺方向へ進退自在に構成したものであり、該分配シャッター１１，１１をラック杆２７とこれに噛合するギヤ２８を介して上記モータ２９によって駆動する構成は上述の図３に示す風量分配機構１０の場合と同様である。そして、この図５に示す風量分配機構１０においても、上記開口面積の拡大時には上記分配シャッター１１，１１が共に上記吹出流路１４の側壁寄りに位置して流速の早い流路中央寄りを大きく開口させる一方、上記開口面積の縮小時には上記各分配シャッター１１が共に該吹出流路１４の上流側に位置されるものである。
【００３９】
図６に示す風量分配機構１０は、一個の分配シャッター１１を備え、この分配シャッター１１の一端を上記吹出流路１４の一方の側壁寄りの上流側部位に傾動自在に枢支するとともに、該分配シャッター１１を相互に噛合するギヤ３３とギヤ３４を介してモータ３５によって回転駆動するようにしたものであって、同図に実線図示する開口面積拡大姿勢と鎖線図示する開口面積縮小姿勢とを選択的に採り得るようにしたものである。そして、この図６に示す風量分配機構１０においても、上記開口面積の拡大時には上記分配シャッター１１が上記吹出流路１４の側壁寄りに位置して流速の早い流路中央寄りを大きく開口させる一方、上記開口面積の縮小時には上記分配シャッター１１が上記吹出流路１４の上流側に位置されるものである。
【００４０】
（Ｉ−ｂ）  第１フラップ１２の構成
上記第１フラップ１２は、上記吹出流路１４を通り上記吹出口４から室内側に吹き出される吹出気流の横方向における吹出方向を変更調整するためのものであって、図２に示すように上記吹出流路１４から上記吹出流路１４に至る流路断面形状に沿うような外形形状をもつプレート体で構成され、且つ支軸２３によって上記吹出流路１４の長辺側の側壁に対して揺動自在に支持されている。そして、この第１フラップ１２は、図４に示すように、上記吹出流路１４内にその長辺方向に所定間隔で複数枚配置されるとともに、これらを相互に連結するリンクバー２４を介してモータ３０（特許請求の範囲中の「駆動機構３０」に該当する）により揺動方向に駆動されることでその傾斜角が変更されるものであって、この傾斜角の変更によって上記吹出口４からの吹出気流の横方向における吹出方向が変更調整される。また、上記各第１フラップ１２，１２，・・は、上記各吹出口４，４，・・のそれぞれに配置されるが、その作動制御は、上記制御部１８によって、これら各別に独立して行われる。
【００４１】
尚、上記各第１フラップ１２，１２，・・は上記吹出流路１４内に配置されるが、上記モータ３０は上記吹出流路１４の短辺側の端部に配置されており、該モータ３０の配置によって上記吹出流路１４の通路面積が狭められることがないようになっている。
【００４２】
（Ｉ−ｃ）  第２フラップ１３
上記第２フラップ１３は、図２に示すように、湾曲した断面形状をもつ帯板材で構成されるものであって、上記吹出流路１４の下流側部位で且つ上記吹出口４に近接した部位に配置され、これがその上端縁側を中心として傾動することで吹出気流の縦方向における吹出方向が変更調整されるものである。
【００４３】
この第２フラップ１３は、上記吹出口４，４，・・のそれぞれに配置されるが、これら各第２フラップ１３，１３，・・の駆動方式としては、連動方式と個別方式とが考えられる。連動方式とは、図７に示すように、上記各吹出口４，４，・・のそれぞれに対応して設けられた上記各第２フラップ１３，１３，・・相互を連動部材３２，３２，・・で連結し、これら各第２フラップ１３，１３，・・を単一のモータ３１によって駆動する方式である。これに対して、個別方式とは、図８に示すように、上記各吹出口４，４，・・のそれぞれに対応して設けられた上記各第２フラップ１３，１３，・・を、それぞれ専用のモータ３１，３１，・・によって個別に駆動させる方式である。これら両方式のうち、前者の連動方式は単一のモータ３１で駆動できることから、駆動部の構造が簡単であり、且つ低コスト化が図れるという利点がある。これに対して、後者の個別方式では、上記各吹出口４，４，・・毎に吹出気流の縦方向における吹出方向をそれぞれ個別に且つ細かく調整できるという利点がある。
【００４４】
（Ｉ−ｄ）  温湿度センサ１６の構成
上記温湿度センサ１６は、特許請求の範囲中の「検知手段５１」に該当するものであって、上記室内機Ｚを天井５０側へ設置した状態において上記吸込口３からの吸込空気の温度を検知することで該温湿度センサ１６が対応する室内の検知対象範囲の熱負荷を間接的に検知し、これを現在の室内温度に関する検知情報として上記制御部１８側に出力するものである。そして、この実施形態では、上記温湿度センサ１６を、図１及び図２に示すように、上記吸込口３の口縁部に設けられた吸込グリル８の各外辺部の近傍に、且つ各外辺に沿ってそれぞれ所定間隔で３個づつ、合計１２個配置しており、従って、上記各温湿度センサ１６，１６，・・は上記各吹出口４，４，・・との関係では、該各吹出口４，４，・・のそれぞれに対応し、且つその長辺方向に所定間隔で並ぶことになる。
【００４５】
ところで、特定の吹出口４から吹き出された空気がその吹出方向にある空調領域から再び上記吸込口３側に吸い込まれる場合、該吸込口３の開口範囲のうち、上記特定の吹出口４寄り部位を通って吸い込まれるのが自然である。そして、この吸込空気の温度は上記特定の吹出口４に対応して設けられた３個の温湿度センサ１６，１６，・・によって検知されるが、その場合においても、該３個の温湿度センサ１６，１６・・はこれらの配置位置に対応して上記吸込空気のそれぞれ異なる部分の温度を検知することになる。
【００４６】
このようなことから、この実施形態のものにおいては、図１に示すように、室内空間、即ち、上記各温湿度センサ１６，１６，・・の検知対象範囲を、平面視において、上記室内機Ｚを中心として上記各吹出口４，４，・・に対応させて四つの大エリア（１）〜（４）に仮想区画するとともに、さらに、これら各大エリア（１）〜（４）のそれぞれを、当該各大エリア（１）〜（４）のそれぞれに属する３個の温湿度センサ１６，１６，・・毎に三つの小エリア（Ａ）〜（Ｃ）に仮想区画している。従って、上記吹出口４毎に一群をなす３個の温湿度センサ１６，１６，・・は、それぞれこれらが対応する特定の大エリア（１）〜（４）の、しかもこれに属する小エリア（Ａ）〜（Ｃ）のうちの対応する各小エリアのみを検知対象範囲とすることになる。これによって、上記各温湿度センサ１６，１６，・・のそれぞれの検知情報が上記制御部１８に入力された場合、当該検知情報がどの大エリアの中のどの小エリアの情報であるのか、換言すれば、全検知対象範囲の中のどの部位の情報であるのかが容易に特定できることになる。尚、上記温湿度センサ１６によって検知される吸込空気温度に関する検知情報は、上記制御部１８に入力され、該制御部１８による上記気流変更手段５２の制御ファクタとして用いられる。
【００４７】
一方、上述のように、上記温湿度センサ１６を複数個並設してこれら各温湿度センサ１６，１６，・・で同時に検知を行い、且つそれらの検知情報に基づいて上記気流変更手段５２の作動制御を行う構成の場合にあっては、検知情報の精度という点において、上記各温湿度センサ１６，１６，・・個々の個体差による検出値の偏差（即ち、検出誤差）が問題となる。このため、この実施形態のものにおいては、上記各温湿度センサ１６，１６，・・個々の個体差を補正し、該各温湿度センサ１６，１６，・・の全てにおいて高精度の検知を実現できるようにしている。
【００４８】
即ち、先ず、温湿度センサ１６の個体差の補正の基本思想は次の通りである。例えば、上記ファン６が回転しているとき（即ち、室内機Ｚの運転状態）には上記吸込口３から室内空気が吸い込まれるため、該吸込口３部分における吸込空気温度は室内各領域間の熱負荷分布によって一定ではないが（かかる熱負荷分布による上記吸込口３部分における吸込空気温度の相違を上記温湿度センサ１６で検知して気流変更手段５２の作動制御を行うのが本願発明の基本思想である）、上記ファン６が停止している状態においては上記吸込口３部分に空気の流れがなくその近傍の空気温度が均一状態となっている。従って、この均一温度状態の下で上記各温湿度センサ１６，１６，・・によってそれぞれ温度検知を行えば、もし上記各温湿度センサ１６，１６，・・の個々に個体差が無ければ、上記各温湿度センサ１６，１６，・・それぞれの検出値はほぼ同一値となるはずである。これに対して、もし上記各温湿度センサ１６，１６，・・個々に個体差があれば、それぞれの検出値に差異が生じるので、何らかの基準値を設定してこの基準値と各検出値との偏差に基づいて該検出値を補正することで上記個体差を排除することが可能となる。
【００４９】
かかる基本思想の下に、この実施形態では、図９に示すフローチャートに従って個体差の補正制御を行うようにしている。即ち、制御開始後、先ず、上記ファン６を停止させた状態で、上記各温湿度センサ１６，１６，・・によって上記吸込口３近傍の空気温度をそれぞれ検知する（ステップＳ１）。次に、上記各温湿度センサ１６，１６，・・の検出値に基づいて平均空気温度を求めるとともに、該平均空気温度と上記各検出値との偏差をそれぞれ求める（ステップＳ２）。
【００５０】
そして、上記各温湿度センサ１６，１６，・・による所定時間（例えば、数十秒）の検知作業が終了した時点で、上記ファン６を起動させ（ステップＳ３）、上記各温湿度センサ１６，１６，・・による本来の検知作業、即ち、上記吸込口３からの吸込空気の温度の検知作業を行うことで室内機Ｚの運転を開始する（ステップＳ４）とともに、ここで上記各温湿度センサ１６，１６，・・によってそれぞれ検知される検出値を上記平均空気温度との偏差に基づいてそれぞれ補正する（ステップＳ５）。
【００５１】
かかる補正によって、上記制御手段５３には補正後の個体差の影響が排除された各検出値が入力され、上記気流変更手段５２の作動制御が室内の熱負荷分布に可及的に適合した状態で行われることになる。尚、実際には、この個体差補正は、室内機Ｚの運転開始時点、即ち、運転開始スイッチが操作された時、所定時間、上記ファン６の起動を遅延させることで行われる。
【００５２】
他方、上記温湿度センサ１６それ自体に起因するものではないが、該温湿度センサ１６の検出値の信頼性の確保という点では、上記ファン６の回転に基づく検出値の補正が必要となる。
【００５３】
即ち、この実施形態のものにおいては、上記ファン６を遠心ファンで構成しているので、該ファン６の回転に伴って上記各吹出口４，４，・・から吹き出される吹出気流はファン回転方向への旋回成分をもつことになる。このため、上記各吹出口４，４，・・からそれぞれ吹き出される各吹出気流の実際の到達領域は、該各吹出口４，４，・・の通路形状から規定される本来的な到達領域（即ち、平面視においてファン６の中心と吹出口４とを結ぶ直線の延長上の領域）よりもファン回転方向前方寄りに位置ズレして、本来的な到達領域と実際の到達領域との間に回転方向への位相差を生じることになる。
【００５４】
これをより具体的に説明すると、図１１に示すように、室内機Ｚの各吹出口４のうち、第１の吹出口４Ａは室内の検知対象範囲のうちのエリア１に対応し、第２の吹出口４Ｂはエリア２に対応し、第３の吹出口４Ｃはエリア３に対応し、第４の吹出口４Ｄはエリア４に対応している。そして、第１の吹出口４Ａからの吹出気流はエリア１側に向けて吹き出され、これが該エリア１を循環後、再度上記吸込口３に吸い込まれる場合には、該吸込口３のうち、上記第１の吹出口４Ａ寄り部位を通って吸い込まれ、該第１の吹出口４Ａに対応して配置された各温湿度センサ１６，１６，・・によってその空気温度「Ｔ１」が検知されるはずである。ところが、上記ファン６の回転に伴う吹出気流の旋回成分の影響で、上記エリア１に存在する空気、従って上記吸込口３に対して上記第１の吹出口４Ａ寄り部位から吸い込まれる空気は、例えば位相差を９０°と想定した場合には、実は第１の吹出口４Ａからの吹出空気ではなく、該第１の吹出口４Ａ９ＬＭファン回転方向後方側に位置する第２の吹出口４Ｂからの吹出空気であり、従って、上記第１の吹出口４Ａに対応して配置された各温湿度センサ１６，１６，・・は本来エリア４に吹き出された後、上記吸込口３の上記第１の吹出口４Ａ寄り部位を通って吸い込まれる空気の温度「Ｔ４」を検知していることになる。即ち、上記各温度センサ又は温湿度センサ１６，１６，・・による室内の熱負荷分布の実測値に位相差を生じるものである。
【００５５】
このため、上記各吹出口４，４，・・のそれぞれに対応して配置された上記各温湿度センサ１６，１６，・・の検出値を、それぞれ対応する吹出口４からの吹出空気の吸込側での温度であるとしてこれを上記制御手段５３における制御に用いたのでは到底空調の最適化は望み得ないことになる。
【００５６】
一方、このような吹出空気のファン回転方向における位相差は、上記ファン６の回転速度、即ち、回転数に対応して変化し、ファン回転数が大きいほど位相差も大きくなる。
【００５７】
このような現象を考慮して、この実施形態においては、位相差補正を行うようにしている。即ち、図１０のフローチャートに示すように、制御開始後、先ず、上記各温湿度センサ１６，１６，・・で温度検知をした後（ステップＳ１１）、ファン回転数に基づき（ステップＳ１２）、上記各温湿度センサ１６，１６，・・の検出値をそれぞれ補正するようにしている。これによって、上記制御手段５３における制御に、位相差の影響が排除された補正後の各検出値が用いられ、上記気流変更手段５２の作動制御が室内の熱負荷分布に可及的に適合した状態で行われる。
【００５８】
尚、上記実施形態においては、上記温湿度センサ１６を上記吹出口４毎にそれぞれ３個づつ設けるようにしているが、これは該温湿度センサ１６の配置個数が多いほど検知対象範囲をより小さく細分することで検知精度を高めるためである。従って、上記温湿度センサ１６の配置数は、要求する検知精度に応じて適宜増減設定すれば良く、例えば上記各吹出口４，４，・・毎にそれぞれ温湿度センサ１６を一個づつ設ける構成も、最小限、上記各大エリア（１）〜（４）毎の検知情報を確認できることから、可能である。
【００５９】
また、上記温湿度センサ１６を上記吸込グリル８側（即ち、上記フィルタ９よりも上流側）に設けたのは、吸込空気が上記フィルタ９を通過することによって温度が均平化され、上記温湿度センサ１６による検知情報と室内の検知対象範囲との関係の特定が難しくなるのを回避するためである。従って、例えば上記フィルタ９の通風抵抗が小さく吸込空気温度の均平化作用が低いものである場合には、図２に符号１６′で指示するように、上記フィルタ９の下流側の、例えば上記ベルマウス７の内面に配置することも可能である。
【００６０】
さらに、この実施形態では、上記検知手段５１を上記温湿度センサ１６で構成しているが、これは吸込空気の温度及び湿度を検知しこれによって熱負荷を算出する方が、単に吸込空気の温度のみを検知しこれによって熱負荷を算出する場合に比して、熱負荷をより精度良く検知することができることによる。従って、要求される検知精度によっては、上記温湿度センサ１６に代えて温度センサを設けることも可能である。
【００６１】
（Ｉ−ｅ）  制御部１８
上記制御部１８は、上述のように、上記温湿度センサ１６によって検知される検知情報に基づいて上記気流変更手段５２を構成する上記風量分配機構１０と第１フラップ１２と第２フラップ１３との作動制御を相互に関連させつつ行うとともに、空調能力とか温度制御を同時に行うことで空調を最適化し、これによって空調の快適性あるいは省エネ性の向上を図るものである。例えば、上記室内機Ｚの各吹出口４，４，・・のそれぞれから吹き出される吹出気流の特性を該各吹出口４，４，・・間において常時同一に設定するのではなく、室内の温度分布（熱負荷分布）に対応して、例えば冷房時においては温度が高い部位に対しては吹出風量を増大させる一方、温度が低い部位に対しては吹出風量を減少させる風量制御等を行うものである。
【００６２】
（Ｉ−ｆ）  室内機Ｚの作動説明等
ここで、上記室内機Ｚの作動及び作用効果等について説明する。この実施形態の室内機Ｚは、上述のように空調の最適化を実現してその快適性あるいは省エネ性を高めることを目的とするものであるが、かかる目的を達成するためには上記制御部１８による上記気流変更手段５２等に対する制御精度が十分に確保されること、延いては上記制御部１８の制御の基礎となる上記温湿度センサ１６の検知精度を高めてその検知情報の信頼性を確保することが重要である。かかる観点に基づく技術思想を室内機の各構成要素について具体化したものがこの実施形態の室内機Ｚである。従って、この実施形態の室内機Ｚでは、上記各構成要素がそれぞれその特有の構成に基づきそれぞれ所期の機能を発揮することで、究極的課題である空調の最適化による快適性あるいは省エネ性の向上が実現されるものである。以下、これを具体的に説明する。
【００６３】
この実施形態の室内機Ｚにおいては、上記熱交換器５を貫流して熱交換された後の空調空気は、上記各吹出口４，４，・・から室内へ吹き出されるが、その場合、吹出気流が上記吹出流路１４部分を流れるとき、上記各吹出口４，４，・・毎に上記風量分配機構１０による該各吹出口４，４，・・相互間における吹出風量の分配作用が為されるとともに、上記第１フラップ１２による横方向における吹出方向調整作用と上記第２フラップ１３による縦方向における吹出方向調整作用とが同時に行われるとともに、空調能力制御とか温度制御等の他の制御も行われ、これらの相乗効果として空調の最適化が実現されるものである。
【００６４】
ここで、かかる空調の最適化は、上記温湿度センサ１６からの高精度の検知情報が上記制御部１８に入力されることによって実現されることは既述の通りである。そして、この実施形態の室内機Ｚにおいては、上記温湿度センサ１６に関して下記の如き構成を採用することで高精度の検知情報を得るようにしたものである。
【００６５】
第１に、この実施形態では、上記温湿度センサ１６を上記各吹出口４，４，・・のそれぞれに対応するようにして上記吸込口３側に配置している。かかる構成とすることで、上記各温湿度センサ１６，１６，・・によって、上記各吹出口４，４，・・の吹出方向に対応する検知対象範囲から吸い込まれる空気温度をそれぞれ検出することで、室内の全域における熱負荷分布を容易に検知することができ、その結果、この熱負荷分布に基づいて上記制御手段５３によって上記気流変更手段５２の作動を制御することで、室内の熱負荷分布に的確に対応した空調を行うことができ、延いては空調の快適性の確保、及び無駄な空調の排除による省エネ性の向上が図れるものである。
【００６６】
また、上記検知手段５１として上記温湿度センサ１６を採用しているので、例えばこの検知手段５１を赤外線センサによって構成するような場合に比して、該検知手段５１の構造の簡略化あるいは制御の容易化が図れ、延いては室内機Ｚの低コスト化にも寄与し得るものである。
【００６７】
第２に、この実施形態では、上記各温湿度センサ１６，１６，・・の検出値に基づいて上記吸込口３部分における平均空気温度を算出し、且つ該平均空気温度と上記各検出値との偏差に基づいて上記各温湿度センサ１６，１６，・・個々の個体差による検出誤差を補正するようにしている。かかる補正によって、上記各温湿度センサ１６，１６，・・の検知精度の信頼性が確保され、該各温湿度センサ１６，１６，・・のそれぞれの検知情報に基づいて上記気流変更手段５２の作動を制御する場合における高い制御精度が向上し、その結果、上記気流変更手段５２の適正な作動が実現され、延いては、空調の快適性及び無駄な空調の排除による省エネ性の更なる向上が図れるものである。
【００６８】
第３に、この実施形態では、上記ファン６が遠心ファンで構成されていることを考慮して、該ファン６の回転速度に基づいて上記各温湿度センサ１６，１６，・・それぞれの検出値を補正するようにしている。かかる構成とすることで、上記ファン６が遠心ファンであることに起因する上記各吹出口４，４，・・からの吹出気流の到達領域のファン回転方向における位相差に基づく上記各温湿度センサ１６，１６，・・の検出誤差が解消され、該各温湿度センサ１６，１６，・・の検知情報に基づく上記気流変更手段５２の作動制御が適正化され、その結果、空調の快適性及び省エネ性が促進されるものである。
【００６９】
さらに、この実施形態のものにおいては、上述の如き上記温湿度センサ１６の検知精度の確保によって空調の快適性及び省エネ性の向上を図るのに加えて、風量分配機構１０と第１フラップ１２と第２フラップ１３の作動制御の最適化によって空調の快適性及び省エネ性の向上を図るようにしている。
【００７０】
即ち、第１に、この実施形態のものでは、上記風量分配機構１０と上記第１フラップ１２及び上記第２フラップ１３とを、上記各吹出口４，４，・・相互間においてそれぞれ独立して個別に作動可能に構成している。かかる構成とすることで、上記各吹出口４，４，・・毎に吹出気流の特性を細かく制御することができ、それだけ空調の快適性及び省エネ性がさらに向上することになる。
【００７１】
第２に、この実施形態のものでは、上述のように、上記風量分配機構１０と上記第１フラップ１２及び上記第２フラップ１３とを上記各吹出口４，４，・・相互間においてそれぞれ独立して個別に作動可能に構成する外に、上記風量分配機構１０と上記第１フラップ１２と上記第２フラップ１３のうち、上記風量分配機構１０と上記第１フラップ１２とを上記各吹出口４，４，・・相互間においてそれぞれ独立して個別に作動可能に構成する一方、上記第２フラップ１３はこれを上記各吹出口４，４，・・相互間において連動して作動させる構成をも提案している。
【００７２】
かかる構成とすることで、上記各吹出口４，４，・・毎に上記風量分配機構１０と第１フラップ１２とによって吹出気流の特性を細かく制御することができることから、例えば上記風量分配機構１０と第１フラップ１２とを上記各吹出口４，４，・・相互間において連動して作動させる構成の場合に比して、空調の快適性及び省エネ性の向上が図れるとともに、上記各吹出口４，４，・・のそれぞれに設けられた上記各第２フラップ１３，１３，・・を単一の駆動源によって駆動することができることから、例えば該各第２フラップ１３，１３，・・をそれぞれ個別の駆動源によって駆動する場合に比して、該駆動源の設置数が減少する分だけ低コスト化と構造の簡略化が図れるなど、空調の快適性及び省エネ性の向上と空気調和機の低コスト化の促進との両立が可能となるものである。
【００７３】
また、この実施形態のものにおいては、上記風量分配機構１０等の構成に関して以下のような付随的効果も期待できるものである。
【００７４】
即ち、第１に、この実施形態のものでは、上記吹出口４に連続する吹出流路１４の上流部位に上記風量分配機構１０と上記第１フラップ１２とをそれぞれ配置するとともに、上記吹出流路１４の長辺方向の両端部に上記風量分配機構１０の駆動機構２９と上記第１フラップ１２の駆動機構３０とをそれぞれ配置しているので、スペース的に制約される上記吹出流路１４部分に上記風量分配機構１０と第１フラップ１２、及びこれらの駆動機構２９，３０をコンパクトに配置することができ、その結果、上記室内パネル２の薄型・小型化を図ることができる。
【００７５】
第２に、この実施形態のものでは、上記風量分配機構１０を、上記吹出流路１４の長辺側に位置し且つ該吹出流路１４の内部側へ向けて傾倒可能に取り付けられた分配シャッター１１を備えて構成し、且つ該分配シャッター１１はこれを上記吹出流路１４の開口面積の拡大動作時には該吹出流路１４の長辺側にそれぞれ位置させ、該開口面積の縮小動作時にはこれを上記吹出流路１４の上流側に位置させるように構成している。
【００７６】
かかる構成とすることで、上記吹出流路１４の開口面積の拡大動作時、即ち、吹出風量の増大時には上記分配シャッター１１が上記吹出流路１４の流速の遅い部位に位置することで該分配シャッター１１による通風抵抗が低減され、風量の確保が確実となるとともに送風音の低減が図られる一方、上記吹出流路１４の開口面積の縮小動作時、即ち、吹出風量の減少時には上記分配シャッター１１が上記吹出流路１４の上流側に位置することで該吹出流路１４の下流端に位置する上記吹出口４部分における気流の乱れが可及的に抑制され、それだけ該吹出口４近傍における結露が防止されるとともに乱れた吹出気流の衝突による天井面の汚れの発生が防止される。
【図面の簡単な説明】
【００７７】
【図１】  本願発明の実施形態にかかる室内機の室内側からの斜視図である。
【図２】  図１に示した室内機の要部拡大断面図である。
【図３】  室内機の吹出口に備えられる風量分配機構の第１の構造例を示す断面図である。
【図４】  図３のＩＶ−ＩＶ矢視図である。
【図５】  室内機の吹出口に備えられる風量分配機構の第２の構造例を示す断面図である。
【図６】  室内機の吹出口に備えられる風量分配機構の第３の構造例を示す断面図である。
【図７】  室内機の吹出口に備えられる第２フラップの第１の駆動方式説明図である。
【図８】  室内機の吹出口に備えられる第２フラップの第２の駆動方式説明図である。
【図９】  室内機におけるセンサ個体差補正の制御フローチャートである。
【図１０】  室内機におけるセンサ実測値の位相差補正の制御フローチャートである。
【図１１】  室内機におけるセンサ実測値の位相差補正の説明図である。
【符号の説明】
【００７８】
１はケーング、２は室内パネル、３は吸込口、４は吹出口、５は熱交換器、６はファン、７はベルマウス、８は吸込グリル、９はフィルタ、１０は風量分配機構、１１は分配シャッター、１２は第１フラップ、１３は第２フラップ、１４は吹出流路、１６は温湿度センサ、１７は通風路、１８は制御部、２３は支軸、２４はリンクバー、２５及び２６はガイド溝、２７はラック杆、２８はギヤ、２９〜３１はモータ、３２は連動部材、３３及び３４はギヤ、３５はモータ、５０は天井、５１は検知手段、５２は気流変更手段、５３は制御手段、Ｚは室内機である。
【図１】
0003651438.tif 000002
【図２】
0003651438.tif 000003
【図３】
0003651438.tif 000004
【図４】
0003651438.tif 000005
【図５】
0003651438.tif 000006
【図６】
0003651438.tif 000007
【図７】
0003651438.tif 000008
【図８】
0003651438.tif 000009
【図９】
0003651438.tif 000010
【図１０】
0003651438.tif 000011
【図１１】
0003651438.tif 000012